(57)【特許請求の範囲】
【請求項１】
第１の筐体部と第２の筐体部とがヒンジ部により互いに開閉可能に結合されてなる折り畳み式電子機器において、該ヒンジ部は、第１の筐体部と第２の筐体部の一方に取り付けられた、側壁に第１のスリットを有するパイプ部と、他方に取付けられ且つ該パイプ部の内側に回転可能に嵌合させた、側壁に第２のスリットを有する中空シャフトと、からなり、前記第１及び第２スリットは前記パイプ部とシャフトとの嵌合部の互いの重なり部分から第１の軸方向及び該第１の軸方向と反対の第２の軸方向にそれぞれずれた位置にまで延在し、第１及び第２のスリット開口部をそれぞれ規定し、
一方の筐体部の内部に装着された第１のプリント回路基板と、他方の筐体部の内部に装着された第２のプリント回路基板と、該第１及び第２プリント回路基板間を電気的に接続するフレキシブル回路板から成る信号線とを具備し、
該信号線は、その一端が前記第１プリント回路基板に接続され、前記パイプ部の第１のスリット開口部に入り、前記パイプ及び中空シャフトの内部を通って、前記中空シャフトの第２のスリット開口部から出て、第２プリント回路基板に接続され、且つ前記第１スリット開口部と第２のスリット開口部との回転位置を合わせて前記ヒンジ部の軸と平行な部分を前記スリットに挿入するように構成したことを特徴とする折り畳み式電子機器。
【請求項２】
前記フレキシブル回路板は、第１のプリント回路基板に接続される第１の基部と、該第１の基部から前記ヒンジ軸と直交する方向に延びている第１の部分と、該第１の部分から折れ曲がってヒンジ軸と平行な方向へ延びている部分と、該ヒンジ軸と平行な方向へ延びている部分から折れ曲がって再度ヒンジ軸と直交する方向に延びている第２の部分と、該第２の部分につながり且つ第２のプリント回路基板に接続される第２の基部と、からなる平面形状を有することを特徴とする請求項１に記載の折り畳み式電子機器。
【請求項３】
前記パイプ部は、一方の筐体を形成している構造強化部材としての第１のシャーシに一体成形されたパイプ成形部と、該パイプ成形部の内部に嵌合されるパイプ部材とからなり、該パイプ成形部及びパイプ部材には、互いに対応する位置にスリット部が形成され、これらのスリット部が整合されて前記第１のスリットを形成することを特徴とする請求項１に記載の折り畳み式電子機器。
【請求項４】
一方の筐体部の前記パイプ部は軸方向の両側が開口しており、第１の開口部には前記中空シャフトが嵌合され、第２の開口部と、他方の筐体部の軸受部とに、ヒンジモジュールが貫通して挿入されていることを特徴とする請求項１に記載の折り畳み式電子機器。
【発明の詳細な説明】
【技術分野】
【０００１】
本発明は折り畳み式電子機器に関し、特にヒンジ（開閉機構）部を有する折り畳み式電子機器に関する。本発明は、各種の折り畳み式の電子機器、例えば、定置式通信端末機、或いは携帯式電子機器、例えば、携帯式電話機、携帯式通信端末、携帯式電子手帳、携帯式電子ブック、携帯式電子辞書等、ヒンジ部を有する各種の折り畳み式電子機器に適用可能である。
【０００２】
折り畳み式電子機器は、主として操作部等が設けられている第１の筐体部（例えば、固定部）と、主として液晶ディスプレイ等の表示部が設けられている第２の筐体部（可動部）とがヒンジ部にて結合され、ヒンジ部を中心として、可動部が固定部に対して開閉可能に構成され、或いは、第１の筐体部と第２の筐体部とが互いに開閉可能に構成されている。このように、折り畳み式電子機器は開閉可能に動作させる構造であるため、使用に便利であり、年々著しく増加する傾向にある。特に、近年の折り畳み式携帯電話機の増加に伴い、頻繁に開閉されるヒンジ部の強度の向上が求められると共に、第１の筐体部と第２の筐体部との間を信号線でもって電気的に接続するに際し、装置を開いた状態であるか閉じた状態であるかに関係なく、また頻度のある開閉動作に耐えうるように、信号線の配線に工夫が求められる。
【背景技術】
【０００３】
従来、折り畳み式電子機器のように、可動部と固定部とをヒンジ部にて連結する構造において、ヒンジ部の保持機構が、可動部や固定部等の装置を構成している構造強化部材、即ち可動部や固定部のシャーシと分離した構造となっている。このように、従来の折り畳み式電子機器では、ヒンジ部がシャーシと一体化した構造ではないために、ヒンジ部の剛性がシャーシの構造部材と比較して十分でなく、回転軸の精度を十分に維持することは困難であり、また、装置が衝撃等を受ける際は、ヒンジ部が独立して変形しヒンジ部の剛性が低下するという問題があった。
【０００４】
また、従来の折り畳み式電子機器では、組立体時、可動部と固定部との間を信号線で接続する場合の信号線の組み付けが複雑であった。
【０００５】
従来、折り畳み式電子機器のヒンジ部の構造として、特許文献１（特開２００２−１３４９３８号公報）には、浸水防止構造を備えた折り畳み筐体構造を示されている。この特許文献１によると、ヒンジ部の周囲や側面に立ち壁を形成し、また内側に防水用のリブを形成し、上部及び下部リアケースの内部に吸水シートを設置することで、ヒンジ部の隙間から空間内への浸水を防止している。
【０００６】
特許文献２（特開２００３−３０４３１０号公報）に開示されている折り畳み電子装置では、ヒンジカバーを複数に分割することにより本体部の色分けが可能となる上に、ヒンジ部におけるがたつき等の発生を防止している。
【０００７】
【特許文献１】特開２００２−１３４９３８号公報
【特許文献２】特開２００３−３０４３１０号公報
【発明の開示】
【発明が解決しようとする課題】
【０００８】
上述のように、従来の折り畳み式電子機器では、ヒンジ部が装置筐体を構成している構造強化部材であるシャーシと一体化した構造ではないために、ヒンジ部の剛性が十分ではなく、回転軸の精度を十分に維持することが困難で、且つ装置が衝撃等を受ける際は、ヒンジ部が独立して変形する虞があった。また、従来の折り畳み式電子機器では、可動部と固定部との間を接続する信号線の組み付けが複雑であった。
【０００９】
そこで、本発明では、ヒンジ部の剛性を十分なものとし、且つ可動部と固定部との間を接続する信号線の組み付けを容易に行えるようにした折り畳み式電子機器を提案することを課題とする。
【課題を解決するための手段】
【００１０】
このような課題を達成するために、本発明では、第１の筐体部と第２の筐体部とがヒンジ部により互いに開閉可能に結合されてなる折り畳み式電子機器において、該ヒンジ部は、第１の筐体部と第２の筐体部の一方に取り付けられた、側壁に第１のスリットを有するパイプ部と、他方に取付けられ且つ該パイプ部の内側に回転可能に嵌合させた、側壁に第２のスリットを有する中空シャフトと、からなり、前記第１及び第２スリットは前記パイプ部と中空シャフトとの嵌合部から軸方向にずれた位置にまで延在し、前記第１及び第２スリットは前記パイプ部とシャフトとの嵌合部の互いの重なり部分から第１の軸方向及び該第１の軸方向と反対の第２の軸方向にそれぞれずれた位置にまで延在し、第１及び第２のスリット開口部をそれぞれ規定し、一方の筐体部の内部に装着された第１のプリント回路基板と、他方の筐体部の内部に装着された第２のプリント回路基板と、該第１及び第２プリント回路基板間を電気的に接続するフレキシブル回路板かち成る信号線とを具備し、該信号線は、その一端が前記第１プリント回路基板に接続され、前記パイプ部の第１のスリット開口部に入り、前記パイプ及び中空シャフトの内部を通って、前記中空シャフトの第２のスリット開口部から出て、第２プリント回路基板に接続され、且つ前記第１スリット開口部と第２のスリット開口部との回転位置を合わせて前記ヒンジ部の軸と平行な部分を前記スリットに挿入するように構成したことを特徴とする折り畳み式電子機器が提供される。
【００１１】
この構造によると、第１の筐体部と第２の筐体部との信号線で電気的に接続する場合において、信号線をヒンジ部のパイプ部と中空シャフトの中を通し、第１及び第２のスリット開口部から引き出して両端をそれぞれ第１の筐体部と第２の筐体部に接続することができるので、信号線の引き回しや組み付けが容易となり、且つ折り畳み式電子機器の繰り返しの開閉動作に対しても耐久性をもたせることができる。
【００１３】
これによると、信号線を第１のプリント回路基板から第２のプリント回路基板へと、円滑につなげることができ、信号線の引き回しや組み付けが容易となり、且つ折り畳み式電子機器の繰り返しの開閉動作に対しても耐久性をもたせることができる。
【００１４】
前記信号線はフレキシブル回路板であることを特徴とする。また、前記フレキシブル回路板は、第１のプリント回路基板に接続される第１の基部と、該第１の基部から前記ヒンジ軸と直交する方向に延びている第１の部分と、該第１の部分から折れ曲がってヒンジ軸と平行な方向へ延びている部分と、該ヒンジ軸と平行な方向へ延びている部分から折れ曲がって再度ヒンジ軸と直交する方向に延びている第２の部分と、該第２の部分につながり且つ第２のプリント回路基板に接続される第２の基部と、からなる平面形状を有することを特徴とする。
【００１５】
これによると、パイプ部のスリットと中空シャフトのスリットと整合させた状態で、信号線としてのフレキシブル回路板のヒンジ軸と平行な部分をこのスリット内へ挿入し、第１の部分及び第２の部分をパイプ部のスリット開口部と中空シャフトのスリット開口部からそれぞれ引き出して両端の基部をそれぞれ第１の筐体部及び第２の筐体部へそれぞれ接続することができ、フレキシブル回路板の組み込みを容易に行うことができる。
【００１６】
また、前記パイプ部は、一方の筐体を形成している構造強化部材としての第１のシャーシに一体成形されたパイプ成形部と、該パイプ成形部の内部に嵌合されるパイプ部材とからなり、該パイプ成形部及びパイプ部材には、互いに対応する位置にスリット部が形成され、これらのスリット部が整合されて前記第１のスリットを形成することを特徴とする。この構造により、ヒンジ部は、第１の筐体及び第２の筐体の構造強化部材である第１及び第２のシャーシの一部として部材、或いはそのシャーシに固着した部材によって構成されるので、ヒンジ部の剛性を高く維持することができ、長期間の繰り返しの使用に対してもヒンジ軸の精度を維持することができる。
【００１７】
また、一方の筐体部の前記パイプ部は軸方向の両側が開口しており、第１の開口部には前記中空シャフトが嵌合され、第２の開口部と、他方の筐体部の軸受部とに、ヒンジモジュールが貫通して挿入されていることを特徴とする。
【発明を実施するための最良の形態】
【００２０】
以下、添付図面を参照して本発明の実施の形態について詳細に説明する。
【００２１】
図１（ａ）及び（ｂ）は本発明を適用可能な折り畳み式携帯電話機を示すもので、（ａ）は折り畳み式携帯電話機を開状態で液晶表示面側から見た斜視図、（ｂ）は折り畳み式携帯電話機を開状態で裏面側から見た斜視図である。
【００２２】
折り畳み式携帯電話機１は、各種キーやボタン類等の入力操作部や、送話口等が設けられている第１の筐体部（固定部）２と、液晶表示部や受話口等が設けられている第２の筐体部（可動部）３とが、矢印Ｐで示すように互いに開閉可能にヒンジ部４により結合され、電子装置１が開閉可能な構造となっている。
【００２３】
折り畳み式携帯電話機１の使用時は、図示のように、装置１は開いた状態とされ、各種の入力操作や、送受信作業や通話等が行われる。装置１を開いた時は、第１の筐体部２と第２の筐体部３との間は例えば、約１６５°程度の開いた通常の開位置で一旦固定されるように、図１には示していないストッパーで規制される。
【００２４】
折り畳み式携帯電話機１の非使用時は、装置１は閉じた状態とされ、収納に便利な形態とされる。携帯電話機１が閉じられた状態では、第１の筐体部２と第２の筐体部３との間が約０°程度となり、この位置で一旦固定されるようにストッパー（図示せず）で規制される。
【００２５】
ヒンジ部４は、基本的には、軸及び軸受機構からなる。即ち、第１の筐体部２の第２の筐体部３側の一端に間隔を置いて同軸に設けられた１対の軸受と、第２の筐体部３の第１の筐体部２側の一端に、前記第１の筐体部２側の１対の軸受に対向するように設けた軸受と、これらの軸受けの中を貫通する軸部で構成される。
【００２６】
ヒンジ部４には、前述のように図１には示していないストッパー機構が設けられている。第１の筐体部２と第２の筐体部３との間が、閉じられた状態にある時は、閉じられた状態に維持され、所定の角度に開かれている状態では、その開かれた角度の状態に維持されるように構成されている。
【００２７】
なお、ヒンジ部４を構成する軸及び軸受機構は、上述とは逆に、第２の筐体部３側の第１の筐体部２側の一端に間隔を置いて１対の軸受を同軸に設け、第１の筐体部２の第２の筐体部３側の一端に、第２の筐体部３側の前記１対の軸受けの間に嵌合される１つの軸受を設け、これらの軸受けの中を貫通する軸部で構成するようにしても良い。
【００２８】
図２は本発明を適用可能な折り畳み式携帯電話機を開いた状態で、特にヒンジ部を裏面側から、外側のカバー類を取り除いて見た図である。図３は図２に示した携帯電話機のヒンジ部周辺の分解斜視図である。また、図４は図２に示した携帯電話機のヒンジ部周辺の透視図である。図５は、シャーシ部とヒンジ部を、特にヒンジ部の正面側から見た分解斜視図、図６はヒンジ部周辺を正面側から見た透視図、図７はシャーシ部とヒンジ部が結合された状態の、ヒンジ部の正面側から見た分解斜視図である。
【００２９】
第１の筐体部（固定部）２は、外側にキー側ケース（図示せず）があり、その内側にはマグネシウムのダイキャスト等で一体成形された、電子装置の構造強化部材である第１の（キー側）シャーシ２０があり、その内部には第１の（キー側）プリント回路基板２１が第１のシャーシ２０に取付けられている。
【００３０】
第２の筐体部（可動部）３は、液晶ディスプレイ（ＬＣＤ）側ケース（図示せず）があり、その内側にはマグネシウムのダイキャスト等で形成された、電子装置の構造強化部材である第２の（ＬＣＤ側）シャーシ３０があり、液晶ディスプレイ（ＬＣＤ）（図示せず）を具備し、このＬＣＤと第２のシャーシ３０との間のスペースには第２の（ＬＣＤ側）プリント回路基板３１が取付けられている。
【００３１】
第１の筐体部２と第２の筐体部３との間は、後述のように、ヒンジ部４を介して信号線であるフレキシブル・プリント配線板（ＦＰＣ）６０で連結されていて、ＦＰＣ６０の一端は第１の筐体部２のプリント回路基板２０に、他端は第２の筐体部３のプリント回路基板３０にそれぞれ接続されている。従って、ＦＰＣ６０は装置の開状態であるか閉状態であるかに関係なく、第１の筐体部２の第１のプリント回路基板２１と第２の筐体部３の第２のプリント回路基板３０との間の電気的な接続を行っている。
【００３２】
本発明によると、第１の筐体部（固定部）２と第２の筐体部（可動部）３とを開閉可能に連結するヒンジ部４は次のように構成されている。
【００３３】
第１の筐体部２のシャーシ２０は、第２の筐体部３側の端部に、円筒状の軸受け部２２と、半円筒部２３が軸方向に所定間隔あけて並んで配置されている。これらの軸受け部２２と半円筒部２３は、このシャーシ２０の一部としてマグネシウム等のダイキャストにより一体的に成形されたものである。
【００３４】
一方、該第２の筐体部３のシャーシ３０は、第１の筐体側２側の端部に、パイプ成形部３２がある。パイプ成形部３２はこのシャーシ３０の一部としてマグネシウム等のダイキャストにより一体的に成形されたものである。そして、このパイプ成形部３２の側壁には、軸方向に片側の開口部にまで延びたスリット３３が形成されている。
【００３５】
樹脂等で成形されたパイプ部材３４は、その一端３４ａが開口し、他端３４ｂが閉鎖し、またその側壁には、パイプ成形部３２のスリット３３に対応したスリット３５が軸方向に開口端３４ａまで延びるように形成されている。このスリット３２の両側には軸方向に立ち上がり壁３６が一体的に形成されている。パイプ部材３４はその閉鎖端３４ｂ側からパイプ成形部３２の片側からその内部に軸方向に挿入され嵌合されるが、その際、スリット３５両側の立ち上がり壁３６がパイプ成形部３２のスリット３３の両側に係合することにより、このパイプ部材３４がパイプ成形部３２に対して回転不能となるように嵌合・固定される。
【００３６】
中空シャフト２４はその一端２４ａが開口し、他端２４ｂが閉鎖している。また、中空シャフト２４の側壁には開口端２４ａ側まで延びた軸方向のスリット２５が設けられている。中空シャフト２４は、第１の筐体部２のシャーシ２０に固定するためのフランジ部２６が設けられ、例えば、このフランジ部２６の取付孔２６ａを通してシャーシ２０のねじ孔２０ａにねじ（図示せず）で固定することにより中空シャフト２４がシャーシ２０に固定される。
【００３７】
また、中空シャフト２４は、その開口端２４ａ側から、パイプ部材３４に回転可能に嵌合される。中空シャフト２４はパイプ部材３４に軸方向に嵌合された際の軸方向の位置を規制するために、その外周に、円周方向の突条ないし段差２７が設けられている。
【００３８】
中空シャフト２４の突条ないし段差２７がパイプ部材３４の開口端に当接するまで中空シャフト２４がパイプ部材３４に挿入され嵌合された際、中空シャフト２４のスリット２５は、これらの重なり部分である嵌合部を超えて軸方向に延在し、スリット開口部２５ａ（図２）を規定する。一方、このよう中空シャフト２４がパイプ部材３４に回転可能に嵌合されている状態で、パイプ部材３４のスリット３５も、これらの重なり部分である嵌合部を超えて軸方向に延在し、スリット開口部３５ａ（図２）を規定する。したがって、中空シャフト２４とパイプ部材３４との嵌合状態で、中空シャフト２４とパイプ部材３４の内側で且つ中空シャフト２４の閉鎖端２４ｂとパイプ部材３４の閉鎖端３４ｂとの間に、フレキシブルプリント回路板６０等の信号線を収容するための空間部が規定される。
【００３９】
シャーシ３０のパイプ成形部３２の軸方向の長さは、第１の筐体部２のシャーシ２０と一成形されている軸受け部２２と半円筒部２３との軸方向の間隔に対応する。
【００４０】
そして、ヒンジ部４の軸方向のもう一方の側のヒンジ構造は次のような構造である。即ち、シャーシ３０のパイプ成形部３２の、パイプ部材３４が挿入される側とは反対側の端部には、軸受けリング部材３６が挿入され、固定・嵌合される。第１の筐体部２側のシャーシ２０の円筒状の軸受け部２２と、パイプ成形部３２とが軸方向に整合された際、軸受け部２２と軸受けリング部材３６を貫通してヒンジモジュール５０が挿入される。このヒンジモジュール５０は、第１の筐体部２と第２の筐体部３との間を回転可能に結合すると共に、それらの間の回転位置を規制するように作用する。
【００４１】
第１の筐体部２のプリント配線基板２１と第２の筐体部３のプリント配線基板３１との間は、前述のように、信号線としてのフレキシブルプリント回路板６０により電気的に接続される。このフレキシブルプリント回路板６０は２つに折り曲げた状態で、図３に示すように、その平面形状が、第１筐体部２のプリント回路基板２１に接続される第１の基部６０ａと、この第１の基部６０ａからヒンジ軸と直交する方向に延びている第１の部分６０ｂと、この第１の部分から略直角に折れ曲がってヒンジ軸と平行な方向に延びる部分６０ｃと、このヒンジ軸と平行な部分６０ｃから再度略直角に折れ曲がってヒンジ軸と直交する方向に延びている第２の部分６０ｄと、この第２の部分６０ｄにつながり且つ第２の筐体部３のプリント回路基板３１に接続される第２の基部６０ｅとからなる連続した形状を有する。
【００４２】
一方、フレキシブルプリント回路板６０を収容する前述の空間部は、第１の筐体部２と第２の筐体部３との間の相対的な回転位置がどの位置にあっても、両端のスリット開口部２５ａ、３５ａ（図２）が所定のスリット幅で開口していて、フレキシブルプリント回路板６０の第１の部分６０ｂが、中空シャフト２４のスリット開口部２５ａ（図２）に入り、ヒンジ軸と平行な部分６０ｃがこの空間部に収容され、第２の部分６０ｄがパイプ部材３４のスリット開口部３６ａ（図２）から出ることにより、このフレキシブルプリント回路板６０を安定的に第１筐体部２から第２筐体部３へと移行させることができる。
【００４３】
そして、フレキシブルプリント回路版６０を組み付ける際においても、第１の基部６０ａと第２の基部６０ｅをそれぞれ第１の筐体部２のプリント配線基板２１と第２の筐体部３のプリント配線基板３１と接続させた状態で、中空パイプの２４のスリット２５とパイプ部材３４のスリット３５とが整合する位置に両筐体部の回転位置を合わせ、ヒンジ軸と平行な部分６０ｃをこのスリット２５、３５に挿入し、第１の部分６０ｂと第２の部分６０ｄを中空シャフト２４及びパイプ部材３４のスリット開口部２５ａ、３５ａ（図２）からそれぞれ引き出すことにより、フレキシブルプリント回路版６０を容易にヒンジ部に組み込むことができる。
【００４４】
以上添付図面を参照して本発明の実施形態について説明したが、本発明は上記の実施形態に限定されるものではなく、本発明の精神ないし範囲内において種々の形態、変形、修正等が可能である。
（付記１）  第１の筐体部と第２の筐体部とがヒンジ部により互いに開閉可能に結合されてなる折り畳み式電子機器において、該ヒンジ部は、第１の筐体部と第２の筐体部の一方に取り付けられた、側壁に第１のスリットを有するパイプ部と、他方に取付けられ且つ該パイプ部の内側に回転可能に嵌合させた、側壁に第２のスリットを有する中空シャフトと、からなり、前記第１及び第２スリットは前記パイプ部と中空シャフトとの嵌合部から軸方向にずれた位置にまで延在し、第１及び第２のスリット開口部を規定することを特徴とする折り畳み式電子機器。
（付記２）  前記パイプ部の側壁に設けた第１のスリットは軸方向に延びており、且つ前記第２の中空シャフトの側壁に設けたスリットも軸方向に延びており、第１及び第２の筐体部が所定の角度位置にある時、前記第１及び第２のスリットは軸方向に連続することを特徴とする付記１に記載の折り畳み式電子機器。
（付記３）  一方の筐体部の内部に装着された第１のプリント回路基板と、他方の筐体部の内部に装着された第２のプリント回路基板と、該第１及び第２プリント回路基板間を電気的に接続する信号線とを具備し、該信号線は、その一端が前記第１プリント回路基板に接続され、前記パイプ部の第１のスリット開口部に入り、前記パイプ及び中空シャフトの内部を通って、前記中空シャフトの第２のスリット開口部から出て、第２プリント回路基板に接続されることを特徴とする付記１に記載の折り畳み式電子機器。
（付記４）  前記信号線はフレキシブル回路板であることを特徴とする付記３に記載の折り畳み式電子機器。
（付記５）  前記フレキシブル回路板は、第１のプリント回路基板に接続される第１の基部と、該第１の基部から前記ヒンジ軸と直交する方向に延びている第１の部分と、該第1の部分から折れ曲がってヒンジ軸と平行な方向へ延びている部分と、該ヒンジ軸と平行な方向へ延びている部分から折れ曲がって再度ヒンジ軸と直交する方向に延びている第２の部分と、該第２の部分につながり且つ第２のプリント回路基板に接続される第２の基部と、からなる平面形状を有することを特徴とする付記４に記載の折り畳み式電子機器。
（付記６）  前記フレキシブル回路板の平面形状は、２つ折りの状態での形状であることを特徴とする付記５に記載の折り畳み式電子機器。
（付記７）  前記フレキシブル回路板のヒンジ軸と平行な部分が、前記パイプ及び中空シャフトの内部を通過していることを特徴とする付記５に記載の折り畳み式電子機器。
（付記８）  前記中空シャフトは、前記パイプ部に嵌合される側とは反対側の軸方向の端部は、壁により閉鎖され、一方、前記前記パイプ部は、該中空シャフトと嵌合される側とは反対側の軸方向の端部は壁により閉鎖され、前記パイプ部及び該中空シャフトの内部で且つこれらの両側の壁間で前記フレキシブル回路板を収容する空間部を規定することを特徴とする付記１に記載の折り畳み式電子機器。
（付記９）  前記パイプ部は、一方の筐体を形成している構造強化部材としての第１のシャーシに一体成形されたパイプ成形部と、該パイプ成形部の内部に嵌合されるパイプ部材とからなり、該パイプ成形部及びパイプ部材には、互いに対応する位置にスリット部が形成され、これらのスリット部が整合されて前記第１のスリットを形成することを特徴とする付記１に記載の折り畳み式電子機器。
（付記１０）  前記パイプ部材は樹脂により成形されたもので、スリットの両側に立ち上がり壁を有し、前記第１のシャーシはマグネシウム等によりダイキャスト一体成形されたもので、前記パイプ部材のスリット両側の立ち上がり壁がパイプ成形部のスリットに嵌合することにより、該パイプ部材は前記第１のシャーシのパイプ成形部に回転不能に嵌合されることを特徴とする付記９に記載の折り畳み式電子機器。
（付記１１）  他方の筐体部は、マグネシウム等によりダイキャスト一体成形された構造強化部材としての第２のシャーシを具備し、前記中空シャフトは該第２のシャーシにめじ止めにより固定されるフランジ部を有することを特徴とする付記１に記載の折り畳み式電子機器。
（付記１２）  前記中空シャフトは、その外周に、前記パイプ部と回転可能に嵌合する際の軸方向の位置を規制する突状ないし段差を有することを特徴とする付記１に記載の折り畳み式電子機器。
（付記１３）  一方の筐体部の前記パイプ部は軸方向の両側が開口しており、第１の開口部には前記中空シャフトが嵌合され、第２の開口部と、他方の筐体部の軸受部とに、ヒンジモジュールが貫通して挿入されていることを特徴とする付記１に記載の折り畳み式電子機器。
（付記１４）  他方の筐体部は、マグネシウム等によりダイキャスト一体成形された構造強化部材としての第２のシャーシを具備し、該他方の筐体部の軸受部は、該第２のシャーシの一部として形成され、更に該第２のシャーシは、前記中空シャフトを覆う半円筒部を有することを特徴とする付記１３に記載の折り畳み式電子機器。
（付記１５）  前記ヒンジモジュールは、一方の筐体部の前記パイプ部の第２の開口部及び他方の筐体部の前記軸受部に嵌合することにより、前記第１の筐体部と第２の筐体部との間の回転位置を規制することを特徴とする付記１３に記載の折り畳み式電子機器。
（付記１６）  折り畳み式電子機器は、折り畳み式携帯電話機であることを特徴とする付記１に記載の折り畳み式電子機器。
（付記１７）  第１の筐体部と第２の筐体部とがヒンジ部により互いに開閉可能に結合されてなる折り畳み式電子機器において、該ヒンジ部は、
第１の筐体部の構造強化部材と一体的に成形されたパイプ部と、第２の筐体部の構造強化部材と一体的に形成された軸受け部及び該第２の筐体部の構造強化部材に固着された中空シャフトと、からなり、
前記パイプ部の一方の開口部には前記中空シャフトが回転可能に挿入・嵌合され、前記パイプ部の他方の側と前記軸受け部にはヒンジモジュールが貫通されていることを特徴とする折り畳み式電子機器。
（付記１８）  前記パイプ部の側壁に第１のスリットが設けられ、前記中空シャフトの側壁に第２のスリットが設けられ、前記第１及び第２スリットは前記パイプ部と中空シャフトとの嵌合部から軸方向にずれた位置にまで延在し、第１及び第２のスリット開口部を規定することを特徴とする付記１７に記載の折り畳み式電子機器。
【産業上の利用可能性】
【００４５】
以上説明したように、本発明によれば、ヒンジ部は、主として第１の筐体部及び第２の筐体部を構成している構造強化部材であるシャーシと一体的に成形されたパイプ部、軸受け部、或いはこれらに固着された中空シャフトにより形成されているので、ヒンジ部の剛性を十分なものとなり、繰り替えしの開閉動作によっても十分強度が保たれ、ヒンジ軸の制度を高い状態に維持することができる。
【００４６】
また、パイプ部及び中空シャフトには、スリットが設けられ、これらのスリットはパイプ部と中空シャフトとの嵌合部から軸方向にずれた位置にまで延在し、スリット開口部を規定しているので、フレキシブルプリント回路板のような信号線のこれらのスリット又はスリット開口部から挿入することにより組み付けも容易に行うことができる。
【図面の簡単な説明】
【００４７】
【図１】本発明の折り畳み式携帯電話機を開状態で液晶表示面側から裏面側から見た斜視図（ａ）及び同折り畳み式携帯電話機を開状態で裏面側から見た斜視図（ｂ）である。
【図２】本発明の折り畳み式携帯電話機の、特にヒンジを裏面側から、外側のカバー類を取り除いて見た図である。
【図３】図２に示した折り畳み式携帯電話機のヒンジ部周辺の分解斜視図である。
【図４】図２に示した折り畳み式携帯電話機のヒンジ部周辺の透視図である。
【図５】本発明を採用した折り畳み式携帯電話機のシャーシ部とヒンジ部を、特にヒンジ部の正面側から見た分解斜視図である。
【図６】ヒンジ部周辺を正面側から見た透視図である。
【図７】折り畳み式携帯電話機のシャーシ部とヒンジ部が結合された状態の、ヒンジ部の正面側から見た分解斜視図である。
【符号の説明】
【００４８】
１    折り畳み式電子機器
２    第１の筐体部
３    第２の筐体部
４    ヒンジ部
２０、３０    シャーシ
２１、３１    プリント回路基板
２２    軸受け部
２３    半円筒部
２４    中空シャフト
２５、３５    スリット
３３    パイプ成形部
３４    パイプ部材
５０    ヒンジモジュール
６０    フレキシブルプリント配線板
【図１】
0004633613.tif 000002
【図２】
0004633613.tif 000003
【図３】
0004633613.tif 000004
【図４】
0004633613.tif 000005
【図５】
0004633613.tif 000006
【図６】
0004633613.tif 000007
【図７】
0004633613.tif 000008